(57)【要約】  布地物品、特に衣服、リンネル製品、及びカーテンから偶発的汚れを除去及び／又は低減させるための組成物及び方法であって、その後の洗浄プロセス又はその他の全布地ケアプロセスの有無にかかわらず、前記組成物が偶発的汚れの改善された洗浄を提供する、組成物及び方法が提供される。該組成物は、汚れ変性剤の存在を特徴とする。【特許請求の範囲】
【請求項１】
布地物品から偶発的な汚れを除去及び／又は低減させるための組成物であって、
ａ．汚れ変性剤と、
ｂ．任意選択的に、キャリア溶媒と、
ｃ．任意選択的に、界面活性剤成分と、
ｄ．任意選択的に、少なくとも１つの追加的非溶媒洗浄補助剤と
を含む組成物。
【請求項２】
汚れ変性剤が、シリル化試薬、アルキル化試薬、アシル化試薬、及びこれらの混合物から成る群から選択される、請求項１に記載の組成物。
【請求項３】
前記キャリア溶媒が、一般的に前記組成物の約６０重量％〜約９９．９５重量％で存在する親油性流体を含む、請求項１に記載の組成物。
【請求項４】
前記界面活性剤成分が、前記組成物の約０．０１重量％〜約１０重量％で前記組成物中に存在し、好ましくは前記界面活性剤成分が、シロキサン系界面活性剤、オルガノスルホスクシネート界面活性剤、ＡＥＳ、ＬＡＳ、Ｃａ又はＮＨ４ＬＡＳ、及びこれらの混合物から成る群から選択される界面活性剤を含み、より好ましくは、前記界面活性剤成分が、次の特性：
ｉ）少なくとも約６０重量％のシロキサン含有量、
ｉｉ）約０．１〜約８のＨＬＢ、及び
ｉｉｉ）アルキレンオキシ官能基
の少なくとも１つを有するポリエーテルシロキサンを含むシロキサン系界面活性剤を含む、並びに／又は
前記界面活性剤成分が、次の特性：
ｉ）少なくとも約６０重量％のシロキサン含有量、
ｉｉ）約０．１〜約８のＨＬＢ、及び
ｉｉｉ）アルキルエトキシル化サルフェート官能基
の少なくとも１つを有するポリエトキシル化サルフェートシロキサンを含むシロキサン系界面活性剤を含む、並びに／又は
前記界面活性剤成分が、次の特性：
ｉ）少なくとも約６０重量％のシロキサン含有量、
ｉｉ）約０．１〜約８のＨＬＢ、及び
ｉｉｉ）ペプチド官能基
の少なくとも１つを有するペプチドシロキサンを含むシロキサン系界面活性剤を含む、
請求項１に記載の組成物。
【請求項５】
前記界面活性剤成分が、オルガノスルホスクシネート界面活性剤を含み、好ましくは前記オルガノスルホスクシネート界面活性剤が、アルキル鎖が独立に約Ｃ６〜約Ｃ２０であるジアルキルスルホスクシネートを含む、請求項４に記載の組成物。
【請求項６】
前記非溶媒洗浄補助剤が、ビルダー、界面活性剤、乳化剤、酵素、漂白活性化剤、漂白触媒、漂白増進剤、漂白剤、アルカリ性供給源、抗菌剤、着色剤、香料、石灰石鹸分散剤、賦香剤、臭気中和剤、高分子移染防止剤、結晶成長阻害物質、光漂白剤、重金属イオン封止剤、変色防止剤、抗微生物剤、抗酸化剤、再付着防止剤、汚れ放出ポリマー、電解質、ｐＨ調節剤、増粘剤、研磨剤、二価イオン、金属イオン塩、酵素安定化剤、腐食阻害物質、ジアミン、泡安定化ポリマー、溶媒、加工助剤、糊剤、蛍光増白剤、ヒドロトロープ、及びこれらの混合物から成る群から選択される、請求項１に記載の組成物。
【請求項７】
前記非溶媒洗浄補助剤が、次の特性：
ｉ）少なくとも約６０重量％のシリコーン含有量；及び
ｉｉ）アルキレンオキシ基、
の１つ以上を有するアミノ官能シリコーンを含む、請求項１に記載の組成物。
【請求項８】
前記非溶媒洗浄補助剤が、次の特性：
ｉ）少なくとも約６０重量％のシリコーン含有量、及び
ｉｉ）エチレンオキシ基；
の１つ以上を有するアミノ官能シリコーンを含み、
好ましくは該非溶媒洗浄補助剤が、漂白剤及び／又は酵素を含む、請求項１に記載の組成物。
【請求項９】
前記親油性流体が、直鎖状、分枝状、及び環状揮発性シリコーン及びこれらの混合物から成る群から選択されるシロキサンを含み、好ましくは前記親油性流体が、デカメチルシクロペンタシロキサンを含む、請求項３に記載の組成物。
【請求項１０】
処理が必要な布地物品上に存在する偶発的汚れを除去及び／又は低減させる方法であって、布地物品の汚れた部分を請求項１に記載の組成物に接触させ、及び任意選択的に、処理した布地物品を後続の洗浄及び／又は再生サイクルに入れる工程を含む方法。
【請求項１１】
前記後続の洗浄及び／又は再生サイクルが布地物品を親油性流体に接触させる工程を含む、請求項１０に記載の方法。
【請求項１２】
前記親油性流体に該親油性流体の約０重量％〜約１０重量％で水が存在する、請求項１１に記載の方法。
【請求項１３】
前記汚れ変性剤が、ヘキサメチルジシラザン、トリメチルクロロシラン、Ｎ，Ｏ−ビス−（トリメチルシリル）アセトアミド）、ｏ−フタルジアルデヒド、２−メルカプトエタノール、ＨＣＯＣ６Ｈ４ＣＮ（Ｓｉ（ＣＨ３）２Ｏ）ｎ−Ｘ又はＨＣＯＣ６Ｈ４ＣＨ２ＮＨ（Ｓｉ（ＣＨ３）２Ｏ）ｎ−Ｘ、ｎ＝２〜５０、Ｘ＝Ｈ、ＣＨ３、ＯＨ、ＮＨ２、及びアルキル又はＰＤＭＳ誘導体化ｏ−フタルジアルデヒド、フェニルイソチオシアナート又はアルキルイソチオシアナート（Ｃ１〜Ｃ８）、アルキレンオキシド、アルキレンオキシド分枝ＰＤＭＳ、例えば、Ｘ−（Ｓｉ（ＣＨ３）２Ｏ）ｍ−（ＳｉＯ（ＣＨ３）（（ＣＨ２）ａ−ＯＣＨ２−ＣＨＯＣＨ２）））−（Ｓｉ（ＣＨ３）２Ｏ）ｎ−Ｘ、ｍ＝１〜１０、ｎ＝１〜１０、ａ＝１〜５、ｘ＝Ｈ、ＣＨ３、ＯＨ、ＮＨ２、又はＣＨ２ＯＣＨＣＨ２Ｏ（ＣＨ２）３Ｓｉ（ＣＨ３）２Ｏ（Ｓｉ（ＣＨ３）２Ｏ）ｎＳｉ（ＣＨ３）２（ＣＨ２）３ＯＣＨ２ＣＨＯＣＨ２、又はＣＨ３Ｓｉ（ＣＨ３）２Ｏ（Ｓｉ（ＣＨ３）２Ｏ）ｍ（Ｓｉ（ＣＨ３）（ＣＨ２ＣＨ２Ｃ６Ｈ９Ｏ）Ｏ）ｎＳｉ（ＣＨ３）２ＣＨ３、ｎ＝１〜５０、ｍ＝１〜５０、エピクロロヒドリン、ＣＮＢｒ、アルキルアルデヒド、及びＮａＣＮＢＨ３から成る群から選択される、請求項１に記載の組成物。
【発明の詳細な説明】
【技術分野】
【０００１】
本発明は、布地物品、特に衣服、リンネル製品、及びカーテンから偶発的汚れを除去及び／又は低減させるための組成物及び方法に関するが、その後の洗浄プロセス又はその他の全布地ケアプロセスの有無にかかわらず、前記組成物は偶発的汚れの改善された洗浄を提供する。前記組成物及び方法は、家庭であっても、広い範囲にわたる布地物品での使用に安全である。
【背景技術】
【０００２】
布地物品に偶発的汚れが発生することは、避けがたい事実である。これらの汚れが布地物品から除去できなければ、その「汚れた」外観のため、物品を意図する目的に再び使用することはできない。その結果、そうでなければ着用可能な衣類の用途が失われることになり、これは金銭的損失と同様に一部の着用者が衣類物品に抱く感情的愛着のために、消費者にとっては望ましくない。
【０００３】
家庭では、従来の洗濯洗浄は、比較的多量の水を用いて、典型的には消費者の家の洗濯機で、又はコインランドリーのような専用の場所で行われる。洗濯機及び洗濯用洗剤は非常に高性能になったが、従来の洗濯方法はまだ一部の汚れを布地物品から除去できない。多種多様な「予備処理」組成物及び装置が、汚れ除去を補助するために消費者に提供されている。これらの組成物は多くの場合、酵素、漂白剤、及び界面活性剤を含み、汚れ除去を完了するためにはその後の水性洗浄を必要とする。その後の洗浄で布地物品を高濃度の水に曝露することは、汚れの洗浄に有効であるが、染料移行及び縮みのリスクを生じる。さらに、消費者によって使用される布地物品の大部分は、従来の洗濯方法での洗浄に適さない。「洗濯機で安全」と考えられる布地物品でさえも、洗濯プロセスの結果酷い皺を生じてアイロンがけを必要とすることが多く、さらに色あせを生じる場合がある。
【０００４】
さらに最近では、家庭用ドライクリーニングキットが消費者に入手可能になってきた。これらのキットには、偶発的汚れの処理手段を提供するものがある。しかし、これらの組成物は水を含み、布地の損傷（色のにじみ、変色、残留物生成、局所的縮み、輪等）が発生しないことを確認するため、それ自体を使用前に布地物品の目立たない領域で試験しなければならない。
【０００５】
さらに、消費者は、物品を着用したまま、又は物品を再着用する直前に、その後の処理を行わずに偶発的汚れを除去したいと思うかもしれない。既存の家庭用予備処理システムは、長時間の乾燥後でも、衣服物品上に望ましくない残留物を残す可能性があり、汚れをより広い領域に目に見えるほど広げ、元の汚れの周囲に輪を作る可能性がある。これらの目に見える残留物は、布地物品をその後の処理、即ち洗浄なしには使用することのできない状態にする場合がある。
【０００６】
したがって、家庭での使用が安全であり、水に敏感なものを含む広範囲の種類の布地への使用が安全であり、その後の従来の洗浄を必要としない、布地物品から汚れをスポット除去するための組成物及び方法に対する、満たされていない必要性が存在する。
【０００７】
対照的に、商業的なドライクリーニングプロセスは、洗浄を非水性溶媒に頼っている。水を避けることにより、このプロセスは、縮みや皺が生じる可能性を最小限にするが、汚れの洗浄、特に水性及びアルコール性の汚れの洗浄は、このプロセスでは非常に制限される。通常は、ドライクリーニング店は、このような汚れをドライクリーニングプロセスの前に手で除去する。この方法は複雑であり、生じる様々な汚れに対処する広範囲の組成物を必要とし、非常に手間のかかる仕事であり、作業者の慎重な取り扱いにもかかわらず、処理される物品に局部的な損傷を与える結果となることが多い。プロセスをさらに複雑にするのは、ドライクリーニング機内の非水性流体がスポット処理薬品で汚染されるのを避けるため、溶媒を用いてスポット処理流体を布地物品からすすぐ又は「除去」する必要があることである。
【発明の開示】
【発明が解決しようとする課題】
【０００８】
したがって、ドライクリーニング産業では、使用が簡単で、ドライクリーニング可能な布地物品への使用が安全であり、広い範囲の汚れに有効であり、ドライクリーニング操作の前に追加の処理工程を必要としない洗浄組成物及び方法に対する、満たされていない必要性も存在する。
【課題を解決するための手段】
【０００９】
本発明は、従来の汚れ除去組成物と比べて、布地物品からの偶発的汚れの洗浄（即ち、除去及び／又は低減）が改良され、同時に卓越した布地ケア特性を維持する、安全に使用できる組成物を提供する。その後の任意選択的な洗浄又はリフレッシュ工程の前に追加の処理工程を必要としない、これらの組成物の利用方法も提供する。
【００１０】
一般に、本発明の組成物及び方法は、以下の２つに分類される：（ｉ）通常、１以上の汚れ構成成分と化学反応させて、汚れを親油性流体中、特にシリコーンを含む溶媒で、未変性の形態の汚れ構成成分と比較してより可溶性にすることによって変性する処理組成物及び／又は方法、並びに（ｉｉ）通常、１以上の汚れ構成成分と化学的反応させて、汚れを親油性流体中で、未変性の形態の汚れ構成成分と比較してより可溶性に、例えばより疎水性にすることによって変性する処理組成物及び／又は方法。本発明の処理組成物は、一般に追加洗浄成分、例えば溶媒、界面活性剤、ポリマー、湿潤剤、及び／又はヒドロトロープと共に処方される。
【００１１】
本発明の１つの態様においては、処理が必要な布地物品から偶発的汚れを除去及び／又は低減させる方法であって、ａ）布地物品上に存在する汚れを、ｉ）非水性流体と、ｉｉ）汚れを変性して親油性流体との接触時に除去効果を増強することができるタンパク質誘導体化（derivitazation）試薬とを含む処理組成物に接触させる、及びｂ）任意選択的に、該組成物の一部を布地物品から除去する、及びｃ）任意選択的に、該処理された布地物品を後続の洗浄プロセス、好ましくは親油性流体を利用する洗浄プロセスに入れ、その結果、布地物品が処理される方法が提供される。
【００１２】
本発明の別の態様においては、処理が必要な布地物品から偶発的汚れを除去及び／又は低減させる方法であって、ａ）布地物品上に存在する汚れを、ｉ）非水性流体と、ｉｉ）汚れを変性して親油性流体との接触時に除去効果を増強することができるタンパク質誘導体化（derivitazation）試薬とを含む処理組成物に接触させる、及びｂ）任意選択的に、該組成物の一部を布地物品から除去する、及びｃ）任意選択的に、該処理された布地物品を後続の洗浄プロセス、好ましくは親油性流体を利用する洗浄プロセスに入れ、その結果、布地物品が処理される方法が提供される。
【００１３】
本発明のさらに別の態様においては、処理が必要な布地物品から偶発的汚れを除去及び／又は低減させる方法であって、ａ）布地物品上に存在する汚れを、ｉ）非水性流体と、ｉｉ）汚れを変性して親油性流体との接触時に除去効果を増強することができるタンパク質誘導体化（derivitazation）試薬とを含む処理組成物に接触させ、該処理された布地物品を後続の洗浄プロセス、好ましくはシリコーン含有親油性流体を利用する洗浄プロセス、より好ましくはＤ５含有洗浄液を利用する洗浄プロセスに入れ、その結果、布地物品が処理される方法が提供される。
【００１４】
本発明のさらに別の態様では、処理を必要とする偶発的汚れを含有する布地物品のための総体的洗濯プロセスであって、
（ｉ）本発明に記載の汚れ除去及び／又は低減方法を、布地物品上に存在する偶発的汚れに実施する工程と、
（ｉｉ）工程（ｉ）からの処理した布地物品全体をドライクリーニング洗濯プロセスで洗濯し、その結果、布地物品が処理される工程との総体的工程を含むプロセスが提供される。
【００１５】
本発明のさらになお別の態様においては、処理を必要とする布地物品上に存在する偶発的汚れを除去及び／又は低減させるための総体的汚れ除去プロセスであって、
（ｉ）本発明に記載の汚れ除去及び／又は低減方法を、布地物品上に存在する偶発的汚れに実施する工程と、
（ｉｉ）空気乾燥による、及び／又は布地物品を攪拌するための装置、好ましくは高温空気衣類乾燥機に入れて前記布地物品を攪拌して布地を乾燥させ、その結果、布地物品が処理される工程との総体的工程を含むプロセスが提供される。
【００１６】
本発明のさらに別の態様では、
（ｉ）汚れ除去及び／又は低減組成物と； 
（ｉｉ）物品、好ましくは布地物品上に存在する偶発的汚れを除去及び／又は低減させるための前記汚れ除去及び／又は低減組成物の使用説明書と；
（ｉｉｉ）任意選択的に、ユーザーが汚れ除去及び／又は低減組成物の使用説明を練習できる、汚れを含む練習用物品を含む練習用の汚れと；
（ｉｖ）任意選択的に、吸収性汚れ受け取り物品とを含むキット。
【００１７】
したがって、本発明は、物品、好ましくは布地物品上に存在する偶発的汚れを除去及び／又は低減させ、好ましくない吸い取り作用を防止するための方法、並びに該物品上に存在する偶発的汚れを除去及び／又は低減させるための該方法及び／又は組成物及び／又は製品及び／又はキットの使用説明書を通常含む、組成物及び／又は製品及び／又はキットを提供する。
【００１８】
これら及び他の態様、特徴、並びに利点は、以下の詳細な説明と付属する請求項を読めば当業者には明らかになろう。本明細書では、百分率、比率、及び割合はすべて、特に指定のない限り重量を基準とする。温度はすべて、特に指定のない限り、摂氏（℃）で示す。測定値はすべて、特に指定のない限り、ＳＩ単位である。関連部分において引用されるすべての文献を、参考として本明細書に組み込む。
【発明を実施するための最良の形態】
【００１９】
（定義）
本明細書で用いられる場合、用語「布地物品」及び／又は「布地」は、従来の洗濯プロセス又はドライクリーニングプロセスにて、習慣的に洗浄される物品を意味することを意図する。したがって、この用語には、衣服、リンネル製品、カーテン、及び衣服付属品のような物品が包含される。またこの用語には、トートバッグ、家具カバー、防水布などのように、全体又は一部が布地で作られた他の品目も包含される。
【００２０】
本明細書で使用される用語「親油性流体」とは、以下でより詳細に記載されるように、皮脂を除去することが可能ないかなる非水性流体も意味することを意図する。
【００２１】
用語「揮発性シリコーン」は、ジメチルシロキサンのオリゴマーによって例証される周知の部類の物質を説明する。前記オリゴマーは、直鎖、分枝状、又は環状の性質であってもよい。本発明の好ましい揮発性シリコーンは、洗浄プロセスの終了時に目に見える残留物を残さない揮発性シリコーンである。一般に、好ましいシロキサンオリゴマーは、通常条件下で沸点が２４０℃以下のものである。
【００２２】
用語「偶発的汚れ」及び／又は「汚れ」は、布地上に見出される望ましくない物質のことをいう。一般にこのような偶発的汚れは物品の一部でのみ見出され、汚れと布地物品との偶発的な接触によって発生する。偶発的汚れの非限定的な例は、飲料品、食品のソース及び薬味、体液（例えば、血液、尿、及び糞便）、屋外汚れ（例えば、草、泥、及び埃）、化粧品（例えば、メークアップ及びリップスティック）である。このような偶発的汚れは一般に「染み」とも呼ばれる。本明細書で使用する時、偶発的汚れは、布地物品の広い部分にわたって広がった皮脂（皮膚分泌物）のような汚れ、油及び／又はグリースを含まない。偶発的汚れは一般的に、アルコール、アミド、アミン、アミノ酸、炭化水素、糖及びこれらの混合物から成る群から選択される官能基を含む。このような官能基は、通常、親油性流体に容易に溶解せず、したがって、このような基を本明細書に記載されるように変性することによって、より可溶性にする必要がある。
【００２３】
「汚れ及び／又は汚れ構成成分の変性」という概念は、本明細書で使用する時、未変性状態の汚れと比べて、親油性流体中でより可溶性の汚れを生じさせる、一般的に化学反応によって汚れに対して取られるいかなる処置をも意味する。汚れに対して取られる処置の非限定例には、偶発的汚れが通常含有する−ＯＨ基、−ＮＨ基、及び／又はＳＨ基のような極性基の排除が挙げられる。汚れ変性のための既知の方法としては、シリル化、アルキル化及びアシル化が挙げられるが、これらに限定されない。汚れを変性できる剤は、本明細書で偶発的汚れ変性剤（あるいは、「誘導体化試薬」）として記載される。
【００２４】
「シリル化」は、非シリル化形態の汚れよりも親油性流体、特にシリコーン含有親油性流体へより可溶性の、汚れのシリル誘導体を生成する。一般的なシリル化方法により、汚れ上に存在する活性水素が、トリメチルシリル基のようなシリル基で置換される。シリル反応の非限定例は以下のようである：
【数１】
2005511860.tif 000002
【００２５】
シリル化方法に有用なシリル化試薬の非限定例としては、へキサメチルジシラザン、トリメチルクロロシラン、トリメチルシリルイミダゾール、ビストリメチルシリルアセトアミド、ビストリメチルシリルトリフルオロアセトアミド、Ｎ−メチル−トリメチルシリルフルオロアセトアミド、トリメチルシリルジエチルアミン、Ｎ−メチル−Ｎ−ｔ−ブチルジメチルシリルトリフルオロアセトアミド、及びハロ−メチルシリル含有物質が挙げられる。
【００２６】
「アルキル化」は、活性水素をアルキル基で置換することによって分子極性を低下させる。アルキル化試薬は、通常、カルボン酸及びフェノールのような酸性水素を有する化合物の変性に用いられる。これらの試薬は、エステル、エーテル、アルキルアミン及びアルキルアミドを生成する。
【００２７】
アルキル化に使用するアルキル化試薬の非限定例としては、ジアルキルアセタール、水酸化テトラブチルアンモニウム、ＢＦ３、及び臭化ペンタフルオロベンジルが挙げられる。
【００２８】
「アシル化」は、アミノ基、ヒドロキシル基、及びチオール基の極性を低下させ、及び汚れにハロゲン化官能性を付加する。シリル化試薬と比較して、アシル化試薬は、炭水化物及びアミノ酸のような、より高い極性の多官能化合物を対象とする。アシル化は、こうした化合物の活性水素をエステル、チオエステル、及びアミドに変換する。
【００２９】
アシル化方法に有用なアシル化試薬の非限定例としては、無水アシル、例えばフッ素化無水物（即ち、無水トリフルオロアセトン酸、無水ペンタフルオロプロピオン酸、無水へプタフルオロ酪酸）、塩化ペンタフルオロベンゾイルのようなハロゲン化アシル、トリフルオロアセチルイミダゾール、ペンタフルオロプロパニルイミダゾール、ヘプタフルオロブチリルイミダゾールのようなフルオロアシルイミダゾール、ペンタフルオロプロパノール、及びＮ−メチル−ビス（トリフルオロアセトアミド）のような活性アシルアミドが挙げられる。
【００３０】
用語「処理組成物」は、本明細書で使用する時、偶発的汚れ変性剤（即ち、誘導体化試薬）を含む組成物を意味することを意図する。
【００３１】
本明細書で使用される用語「洗浄組成物」は、洗浄される布地物品と直接接触する任意の親油性流体含有組成物を意味することを意図する。前記用語は、コンディショニング及びサイジングなどの洗浄以外の用途を包含すると理解されるべきである。
【００３２】
用語「親油性流体中に水を懸濁することが可能」は、ある物質が水を懸濁、溶媒和、又は乳化することができ、組成物の５重量％の濃度で、最初の構成成分の混合後、少なくとも５分間静置した時に、水が目に見えて懸濁、溶媒和、又は乳化した状態を保つように親油性流体と不混和性であることを意味する。本発明の組成物の幾つかの実施例では、組成物は、コロイドの性質であっても、及び／又は乳濁性に見えてもよい。本発明の組成物の他の実施例では、組成物は透明であってもよい。
【００３３】
用語「親油性流体に不溶性」とは、親油性流体に添加された時に、物質が、添加後５分以内に親油性流体から物理的に分離（即ち、沈殿、凝縮、浮揚）し、それに対して「親油性流体に可溶性」である物質は、添加後５分以内に親油性流体から物理的に分離しないことを意味する。
【００３４】
本明細書で使用する時、「混合」という用語は、２つ以上の物質（即ち、流体、より具体的には親油性流体及び消費可能な洗剤組成物）を均一な混合物が形成されるように組み合わせることを意味する。好適な混合プロセスは、当該技術分野において公知である。好適な混合プロセスの非限定的な例には、渦混合プロセス及び静的混合プロセスなどが挙げられる。
【００３５】
（組成物）
本発明は、布地物品からの偶発的汚れの洗浄（即ち、汚れの除去及び／又は低減）を改善すると同時に、卓越した布地ケア特性を維持する組成物を提供する。
【００３６】
血液タンパク質は、アミド基、アミン基、ヒドロキシル基、メルカプト基、カルボキシル基のような親水性官能基を大量に含有する親水性ポリマーである。これらは、親油性流体洗浄系での洗浄に最も耐える汚れである。
【００３７】
分析化学でクロマトグラフィー分離及び蛍光標識（fluororencent labeling）に一般的に使用される汚れ変性剤（即ち、誘導体化試薬）が、血液タンパク質変性−疎水化に応用される。血液染みの疎水化は、Ｄ５マクロエマルション系での洗浄性能を改善した。本発明で好ましい疎水化試薬は、（１）シリル化：比３：１：９：１のヘキサメチルジシラザン：トリメチルクロロシラン：ピリジン：Ｎ，Ｏ−ビス−（トリメチルシリル）アセトアミド）の溶液、（２）イソインドール化：２−（ａ）比１０００：１のｏ−フタルジアルデヒド：２−メルカプトエタノールの溶液、２−（ｂ）ＨＣＯＣ６Ｈ４ＣＮ（Ｓｉ（ＣＨ３）２Ｏ）ｎ−Ｘ又はＨＣＯＣ６Ｈ４ＣＨ２ＮＨ（Ｓｉ（ＣＨ３）２Ｏ）ｎ−Ｘ、ｎ＝２〜５０、Ｘ＝Ｈ、ＣＨ３、ＯＨ、ＮＨ２及びアルキル又はＰＤＭＳ誘導体化ｏ−フタルジアルデヒドのようなｏ−フタルジアルデヒドの疎水変性類似体、（３）イソチオシアン化（フェニル又はアルキルチオヒダントインを生成する）：フェニルイソチオシアナート又はアルキルイソチオシアナート、（４）アルキレンオキシド、例えば１，２−エポキシブタン、（５）アルキレンオキシド分枝ＰＤＭＳ、例えばＸ−（Ｓｉ（ＣＨ３）２Ｏ）ｍ−（ＳｉＯ（ＣＨ３）（（ＣＨ２）ａ−ＯＣＨ２−ＣＨＯＣＨ２）））−（Ｓｉ（ＣＨ３）２Ｏ）ｎ−Ｘ、ｍ＝１〜１０、ｎ＝１〜１０、ａ＝１〜５、ｘ＝Ｈ、ＣＨ３、ＯＨ、ＮＨ２、又はゲレスト社（Gelest,Inc）のＣＨ２ＯＣＨＣＨ２Ｏ（ＣＨ２）３Ｓｉ（ＣＨ３）２Ｏ（Ｓｉ（ＣＨ３）２Ｏ）ｎＳｉ（ＣＨ３）２（ＣＨ２）３ＯＣＨ２ＣＨＯＣＨ２又はゲレスト社（Gelest,Inc）のＣＨ３Ｓｉ（ＣＨ３）２Ｏ（Ｓｉ（ＣＨ３）２Ｏ）ｍ（Ｓｉ（ＣＨ３）（ＣＨ２ＣＨ２Ｃ６Ｈ９Ｏ）Ｏ）ｎＳｉ（ＣＨ３）２ＣＨ３、ｍ＝１〜５０、ｎ＝１〜５０、（６）エピクロロヒドリン、（７）ＣＮＢｒ、（８）アルキルアルデヒド及びＮａＣＮＢＨ３である。
【００３８】
Ｄ５、Ｈ２Ｏ及び界面活性剤又は溶媒から成るエマルション又は共溶媒系は、これらの疎水変性された血液タンパク質を除去する。前記系は、８５％〜１００％のＤ５、５％〜１５％のＨ２Ｏ、０．５％〜３％の界面活性剤又は８０％〜１００％のＤ５、０．５％〜１５％のＨ２Ｏ、０．５％〜２０％の溶媒から成る。界面活性剤は、ＡＥＳ、ＬＡＳ、Ｃａ又はＮＨ４  ＬＡＳ、ＰＤＭＳ又はペプチド若しくはアルキルエトキシレートで分枝した２つのアルキル又はアミノアルキル又はアルキルエトキシル化サルフェート又は糖であることができる。溶媒は、ＴＦＡ、ＭＥＡ、ＤＥＡ、アルコール（ｎ＝１〜４）、アルキレンジオール（ｎ＝１〜５）、アセトニトリル、ＤＭＦ、ＣＨＣｌ３、トリクロロエタン、尿素、ＤＭＳＯ等のような極性溶媒であることができる。
【００３９】
（親油性流体）
本明細書の親油性流体は、布地物品処理装置の運転条件下で、換言すれば、本発明による布地物品の処理中に、液相が存在するものである。一般にこのような親油性流体は、周囲温度及び圧力において完全に液体であることができ、容易に融解する固体、例えば約０℃〜約６０℃の範囲の温度で液体になるものであることができ、又は、例えば２５℃１気圧の周囲温度及び圧力において液相と蒸気相との混合物を含むことができる。したがって、親油性流体は、二酸化炭素のような圧縮性気体ではない。
【００４０】
本明細書の親油性流体は、既知の従来型のドライクリーニング流体の特質と等しい、又は好ましくはそれを上回る、不燃性を有するか又は比較的高い引火点及び／又は低ＶＯＣ（揮発性有機化合物）性を有することが好ましく、これらの用語はドライクリーニング業界で使用される慣用的な意味を有する。
【００４１】
さらに、本明細書に好適な親油性流体は、流動しやすく、粘性ではない。
【００４２】
一般に、本明細書の親油性流体は、本発明書で後述する試験において定義されるように、皮脂又は身体の汚れを少なくとも部分的に溶解可能な流体であることが必要である。親油性流体の混合物もまた好適であり、後述の親油性流体試験の要件が満たされることを条件として、親油性流体は、任意の分率のドライクリーニング溶媒、特にフッ素化溶媒又は過フッ素化アミン類を含む、より新しい種類の溶媒を含むことができる。パーフルオロトリブチルアミン類のような一部の過フッ素化アミン類は、親油性流体として使用するには適していないが、親油性流体含有組成物中に存在する多くの考えられる補助剤の１つとして存在してもよい。
【００４３】
その他の好適な親油性流体には、ジオール溶媒システム、例えば、Ｃ６又はＣ８又はそれ以上の高級ジオール類のような高級ジオール類、環式及び非環式型の両方を含むオルガノシリコーン溶媒等、及びこれらの混合物が挙げられるが、これらに限定されない。
【００４４】
本発明の組成物の主成分として組み込むのに適した非水性親油性流体の好ましい群には、低揮発性非フッ素化有機物、シリコーン類、特にアミノ官能シリコーン類以外のもの、及びこれらの混合物が挙げられる。低揮発性非フッ素化有機物には、例えば、ＯＬＥＡＮ（登録商標）及びその他のポリオールエステル類、又は特定の比較的非揮発性の生分解性中鎖分枝状石油留分が挙げられる。
【００４５】
本発明の組成物の主成分として組み込むのに適した非水性親油性流体のもう１つの好ましい群には、グリコールエーテル類、例えば、プロピレングリコールメチルエーテル、プロピレングリコールｎ−プロピルエーテル、プロピレングリコールｔ−ブチルエーテル、プロピレングリコールｎ−ブチルエーテル、ジプロピレングリコールメチルエーテル、ジプロピレングリコールｎ−プロピルエーテル、ジプロピレングリコールｔ−ブチルエーテル、ジプロピレングリコールｎ−ブチルエーテル、トリプロピレングリコールメチルエーテル、トリプロピレングリコールｎ−プロピルエーテル、トリプロピレングリコールｔ−ブチルエーテル、トリプロピレングリコールｎ−ブチルエーテルが挙げられるが、これらに限定されない。主成分として、例えば組成物の５０％を超えて使用される好適なシリコーン類には、「Ｄ５」と呼ばれることもあるシクロペンタシロキサン類、及び／又はほぼ同様の揮発性を有し、任意選択的にその他の適合性のあるシリコーン類によって補完される直鎖類縁体が挙げられる。好適なシリコーン類は、文献で周知であり（例えば、カーク・オスマー（Kirk Othmer）の工業化学百科事典（Encyclopedia of Chemical Technology）を参照）、ゼネラル・エレクトリック（General Electric）、東芝シリコーン、バイエル（Bayer）、及びダウ・コーニング（Dow Corning）を含む多数の商業的供給源から入手可能である。その他の好適な親油性流体は、プロクター・アンド・ギャンブル（Procter & Gamble）、又はダウ・ケミカル（Dow Chemical）、及びその他の供給元から市販されている。
【００４６】
（親油性流体の適格性及び親油性流体試験（ＬＦ試験））
ドライクリーニング流体に関する既知の要件（例えば、引火点）を満たすことができ、下記の試験法に示されるように少なくとも部分的に皮脂を溶解可能ないかなる非水性流体も、本明細書において親油性流体として好適である。一般指針としてパーフルオロブチルアミン（フロリナート（Fluorinert）ＦＣ−４３（登録商標））はそれ自体が（補助剤と共に、又は補助剤なしで）標準物質であり、定義上は本明細書で使用される親油性流体として好適でない（本質的に非溶媒である）が、シクロペンタシロキサン類は、好適な皮脂溶解特性を有しており、皮脂を溶解させる。
【００４７】
以下は、親油性流体として使用される他の物質、例えば、他の低粘性で自由流動性のシリコーンの調査及び適格性認定方法である。この方法は、皮脂汚れのモデルとして、市販のクリスコ（Crisco）（登録商標）キャノーラ油、オレイン酸（純度９５％、シグマ・アルドリッチ社（Sigma Aldrich Co.）から入手可能）、及びスクアレン（純度９９％、Ｊ．Ｔ．ベーカー（J.T.Baker）から入手可能）を使用する。試験物質は、ほぼ無水であり、評価中は添加されたいかなる補助剤又は他の物質も含むべきでない。
【００４８】
３本のバイアル瓶を用意し、各バイアル瓶に１種類の親油性汚れを入れる。第１のバイアル瓶にキャノーラ油１．０ｇを入れ、第２のバイアル瓶にオレイン酸（９５％）１．０ｇを入れ、最後の第３のバイアル瓶にスクアレン（９９．９％）１．０ｇを入れる。各バイアル瓶に、親油性について試験すべき流体１ｇを入れる。室温及び常圧で、標準的な攪拌混合機において、最大設定で２０秒間、試験すべき親油性汚れ及び流体を含有する各バイアル瓶を個別に混合する。バイアル瓶を作業台に載置し、室温及び常圧で１５分間安定させる。静止してから、親油性汚れの入ったいずれかのバイアル瓶に透明な単一相が形成された場合、その非水性流体は、本発明による「親油性流体」として使用するのに好適であるとみなされる。ただし、３本のバイアル瓶全部に２つ以上の分離層が形成されている場合、非水性流体を適格なものとして容認又は拒絶する前に、油相中に溶解される非水性流体の量をさらに測定する必要がある。
【００４９】
このような場合、注射器を用いて、各バイアル瓶の各層から２００μｌのサンプルを慎重に抜き取る。３つの各モデル、汚れ、及び試験される流体の較正サンプルの保持時間の決定後、注射器で抜き取った層のサンプルを、ＧＣオートサンプラーバイアル瓶に入れ、従来のＧＣ分析にかける。ＧＣによって、オレイン酸層、キャノーラ油層、又はスクアラン層から成る層のいずれか１つに試験流体が１％を超えて、好ましくはそれより多く存在することがわかった場合、その試験流体も親油性流体として使用するのに適格であるとみなされる。必要ならば、この方法は、ヘプタコサフルオロトリブチルアミン、即ちフロリナート（Fluorinert）ＦＣ−４３（不合格）及びシクロペンタシロキサン（合格）を使用してさらに較正することができる。好適なＧＣは、スプリット／スプリットレス注入器及びＦＩＤを装備したヒューレット・パッカード・ガス・クロマトグラフ（Hewlett Packard Gas Chromatograph）ＨＰ５８９０シリーズＩＩである。親油性流体の存在量を決定するのに使用される好適なカラムは、Ｊ＆Ｗサイエンティフィック（J&W Scientific）の、３０メートル、内径０．２５ｍｍ、０．１ｕｍのフィルム厚、カタログ番号１２２１１３１のキャピラリーカラムＤＢ−１ＨＴである。ＧＣは、以下の条件下で操作されるのが好適である：
【表１】
2005511860.tif 000003
【００５０】
本明細書で使用するのに好適な好ましい親油性流体は、優れた衣類ケア特性を有することに基づいて、使用のためにさらに認定することができる。衣類ケア特性試験は、当該技術分野において周知であり、継ぎ目等に使用される布地、糸、及びゴムひも、並びに様々なボタンを含む、幅広い範囲の衣類又は布地物品構成要素を使用して、適格性を認定すべき流体を試験することを伴う。本明細書に用いるのに好ましい親油性流体は、優れた衣類ケア特性を有する、例えば、良好な収縮及び／又は布地皺寄せ特性を有し、プラスチックボタンに目立った損傷を与えない。例えばエチルラクテートのような、皮脂の除去において親油性流体として使用するのに適したある種の物質は、ボタンを溶解する傾向があるので極めて好ましくなく、そのような物質が本発明の組成物中に使用される場合、混合物全体が実質的にボタンに損傷を与えないように水及び／又は他の溶媒と共に配合される。その他の親油性流体、例えばＤ５は、衣類ケアの要件を極めてよく満たす。幾つかの好適な親油性流体は、付与された米国特許第５，８６５，８５２号、第５，９４２，００７号、第６，０４２，６１７号、第６，０４２，６１８号、第６，０５６，７８９号、第６，０５９，８４５号、及び第６，０６３，１３５号の中に見出され、これらを参考として本明細書に組み込む。
【００５１】
親油性流体には、直鎖及び環状ポリシロキサン、炭化水素、及び塩素化炭化水素を挙げることができるが、本明細書で使用される親油性流体の定義に明確に包含されないＰＥＲＣ及びＤＦ２０００は除外する。より好ましいのは、直鎖及び環状ポリシロキサン、並びにグリコールエーテル、酢酸エステル、乳酸エステル類の炭化水素である。好ましい親油性流体には、７６０ｍｍＨｇにおける沸点が約２５０℃未満である環状シロキサン類が挙げられる。本発明で使用するのに特に好ましい環状シロキサンは、オクタメチルシクロテトラシロキサン、デカメチルシクロペンタシロキサン及びドデカメチルシクロヘキサシロキサンである。好ましくは、環状シロキサンは、デカメチルシクロペンタシロキサン（Ｄ５、ペンタマー）を含み、オクタメチルシクロテトラシロキサン（テトラマー）及びドデカメチルシクロヘキサシロキサン（ヘキサマー）を実質的に含まない。
【００５２】
ただし、有用な環状シロキサン混合物は、好ましい環状シロキサンに加えて、オクタメチルシクロテトラシロキサン及びヘキサメチルシクロトリシロキサン、又はテトラデカメチルシクロヘプタシロキサンのようなより高級な環状物を含む他の環状シロキサンも微量含有する場合があることを理解すべきである。一般に、環状シロキサン混合物において有用なこれらの他の環状シロキサン量は、混合物全体の約１０重量％未満である。環状シロキサン混合物の工業規格では、このような混合物は混合物の約１重量％未満のオクタメチルシクロテトラシロキサンを含む。
【００５３】
したがって、本発明の親油性流体は、親油性流体の好ましくは約５０重量％を超える、より好ましくは約７５重量％を超える、さらにより好ましくは少なくとも約９０重量％、最も好ましくは少なくとも約９５重量％のデカメチルシクロペンタシロキサンを含む。あるいは、親油性流体は、混合物の約５０重量％を超える、好ましくは約７５重量％を超える、より好ましくは少なくとも約９０重量％、最も好ましくは少なくとも９５重量％から約１００重量％までのデカメチルシクロペンタシロキサン、並びに混合物の約１０重量％未満、好ましくは約５重量％未満、より好ましくは約２重量％未満、さらにより好ましくは約１重量％未満、最も好ましくは約０．５重量％未満から約０重量％までのオクタメチルシクロテトラシロキサン及び／又はドデカメチルシクロヘキサシロキサンを有する環状シロキサンの混合物であるシロキサンを含んでもよい。
【００５４】
本発明による洗浄組成物中に存在する親油性流体の濃度は、洗浄組成物の約７０重量％〜約９９．９９重量％、及び／又は約９０重量％〜約９９．９重量％、及び／又は約９５重量％〜約９９．８重量％でよい。親油性流体の濃度は、本発明に有用な消費可能な洗剤組成物中に存在する場合、消費可能な洗剤組成物の約０重量％〜約９０重量％、及び／又は約０．１重量％〜約７５重量％、及び／又は約１重量％〜約５０重量％でよい。
【００５５】
（界面活性剤成分）
本発明の処理組成物は、通常、汚れ変性剤に加えて、界面活性剤を含む。本発明の界面活性剤成分は、親油性流体中に水を懸濁させることができ、親油性流体の汚れ除去効果を向上させることができる物質である。それらの性質の条件として、前記物質は、親油性流体に可溶性である。
【００５６】
本発明の界面活性剤成分は、水を親油性流体に懸濁させることができ、また親油性流体の汚れ除去効果を向上させることができる物質にすることができる。この物質は、親油性流体中に可溶性であってもよい。
【００５７】
１つの分類の物質には、シロキサン系界面活性剤（シロキサンをベースにした物質）を含むことができる。この用途のシロキサン系界面活性剤は、他の用途向けのシロキサンポリマーであってもよい。シロキサン系界面活性剤の重量平均分子量は、典型的には、５００〜２０，０００である。ポリ（ジメチルシロキサン）に由来するこのような物質は、当該技術分野で周知である。本発明では、このようなシロキサン系界面活性剤すべてが好適であるとは限らないが、それは、これらが親油性流体自体によって提供される洗浄のレベルと比較して、改善された汚れの洗浄を提供しないためである。
【００５８】
シロキサン系の好適な界面活性剤は、次式を有するポリエーテルシロキサンを含む：
ＭａＤｂＤ’ｃＤ”ｄＭ’２−ａ
式中、ａは０〜２であり；ｂは０〜１０００であり；ｃは０〜５０であり；ｄは０〜５０であり、ただしａ＋ｃ＋ｄは少なくとも１であり；
ＭはＲ１３−ｅＸｅＳｉＯ１／２であり、式中、Ｒ１は、独立してＨ、又は一価の炭化水素基であり、Ｘはヒドロキシル基であり、ｅは０又は１であり；
Ｍ’はＲ２３ＳｉＯ１／２であり、式中、Ｒ２は、独立してＨ、一価の炭化水素基、又は（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、ただし、少なくとも１つのＲ２が（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、式中、Ｒ３は、独立してＨ、一価の炭化水素基、又はアルコキシ基であり、ｆは１〜１０であり、ｇは０又は１であり、ｈは１〜５０であり、ｉは０〜５０であり、ｊは０〜５０であり、ｋは４〜８であり；
ＤはＲ４２ＳｉＯ２／２であり、式中、Ｒ４は、独立してＨ、又は一価の炭化水素基であり；
Ｄ’はＲ５２ＳｉＯ２／２であり、式中、Ｒ５は、独立してＲ２であり、ただし少なくとも１つのＲ５が（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、式中、Ｒ３は、独立してＨ、一価の炭化水素基、又はアルコキシ基であり、ｆは１〜１０であり、ｇは０又は１であり、ｈは１〜５０であり、ｉは０〜５０であり、ｊは０〜５０であり、ｋは４〜８であり；
Ｄ”はＲ６２ＳｉＯ２／２であり、式中、Ｒ６は、独立してＨ、一価の炭化水素基又は（ＣＨ２）ｌ（Ｃ６Ｈ４）ｍ（Ａ）ｎ−［（Ｌ）ｏ−（Ａ’）ｐ−］ｑ−（Ｌ’）ｒＺ（Ｇ）ｓであり、式中、ｌは１〜１０であり；ｍは０又は１であり；ｎは０〜５であり；ｏは０〜３であり；ｐは０又は１であり；ｑは０〜１０であり；ｒは０〜３であり；ｓは０〜３であり；Ｃ６Ｈ４はＣ１〜１０アルキル又はアルケニルで非置換又は置換されており；Ａ及びＡ’はそれぞれ独立して、エステル、ケト、エーテル、チオ、アミド、アミノ、Ｃ１〜４フルオロアルキル、Ｃ１〜４フルオロアルケニル、分枝又は直鎖ポリアルキレンオキシド、ホスフェート、スルホニル、サルフェート、アンモニウム、及びこれらの混合物を表す連結部分であって；Ｌ及びＬ’はそれぞれ独立して、非置換又は置換されたＣ１〜３０直鎖又は分枝アルキル又はアルケニル又はアリ−ルであり；Ｚは水素、カルボン酸、ヒドロキシ、ホスフェート、ホスフェートエステル、スルホニル、スルホネート、サルフェート、分枝又は直鎖ポリアルキレンオキシド、ニトリル、グリセリル、Ｃ１〜３０アルキル又はアルケニルで非置換又は置換されたアリール、Ｃ１〜１０アルキル又はアルケニル又はアンモニウムで非置換又は置換された炭水化物であり；ＧはＨ＋、Ｎａ＋、Ｌｉ＋、Ｋ＋、ＮＨ４＋、Ｃａ＋２、Ｍｇ＋２、Ｃｌ−、Ｂｒ−、Ｉ−、メシラート又はトシラートなどの陰イオン又は陽イオンである。
【００５９】
前述のシロキサン系界面活性剤の種類の例は、ＥＰ−１０４３４４３Ａ１、ＥＰ−１０４１１８９、及びＰＣＴ国際公開特許ＷＯ０１／３４，７０６（すべてＧＥシリコーンズ（GE Silicones）に発行）、及び米国特許第５，６７６，７０５号、米国特許第５，６８３，９７７号、米国特許第５，６８３，４７３号、及びＥＰ−１０９２８０３Ａ１（すべてレバー・ブラザーズ（Lever Brothers）に発行）に見出すことができる。
【００６０】
好適なシロキサン系界面活性剤の非限定的な市販の例は、ＴＳＦ４４４６（例えば、ゼネラル・エレクトリック・シリコーンズ（General Electric Silicones））、及びＹ１２１４７（例えば、オーシー・スペシャリティー（OSi Specialties））である。
【００６１】
界面活性剤成分に好適な第２の好ましい分類の物質は、有機物の性質をもつ。好ましい物質は、炭素原子数約６〜約２０の炭素鎖を有する、オルガノスルホスクシネート界面活性剤である。最も好ましいのは、それぞれが約６〜約２０の炭素原子数の炭素鎖を有する、ジアルキル鎖を含有するオルガノスルホスクシネート類である。また、アリール又はアルキルアリール、置換又は非置換、分枝又は直鎖、飽和又は不飽和基を含有する鎖も好ましい。
【００６２】
好適なオルガノスルホスクシネート界面活性剤の市販品の非限定例は、エアゾール（Aerosol）ＯＴ及びエアゾール（Aerosol）ＴＲ−７０（サイテック（Cytec）より）の商品名で入手可能である。
【００６３】
界面活性剤成分は、本発明の布地物品処理組成物中に存在する場合、好ましくは布地物品処理組成物の約０．０１重量％〜約１０重量％、より好ましくは約０．０２重量％〜約５重量％、さらにより好ましくは約０．０５重量％〜約２重量％含まれる。
【００６４】
界面活性剤成分は、本発明の消費可能な洗剤組成物中に存在する場合、好ましくは消費可能な洗剤組成物の約１重量％〜約９９重量％、より好ましくは約２重量％〜約７５重量％、さらにより好ましくは約５重量％〜約６０重量％含まれる。
【００６５】
界面活性剤のもう１つの好ましい分類は、非イオン性界面活性剤、特に低いＨＬＢ値の非イオン性界面活性剤である。好ましい非イオン性界面活性剤は、約１０未満、より好ましくは約７．５未満、及び最も好ましくは約５未満のＨＬＢ値を有する。好ましい非イオン性界面活性剤はまた、界面活性剤の鎖の中に約６〜２０個の炭素、及び界面活性剤の親水性部分中に約１〜１５個のエチレンオキシド（ＥＯ）及び／又はプロピレンオキシド（ＰＯ）単位を有し（即ち、Ｃ６〜２０ＥＯ／ＰＯ１〜１５）、及び好ましくはＣ７〜１１ＥＯ／ＰＯ１〜５（例えばＣ７〜１１ＥＯ２．５）の範囲内のものから選択される非イオン性界面活性剤である。
【００６６】
界面活性剤洗濯添加剤は、存在する場合、典型的には本発明の方法のための親油性流体と組み合わせた洗浄組成物の約０．００１重量％〜約１０重量％、より好ましくは約０．０１重量％〜約５重量％、さらにより好ましくは約０．０２重量％〜約２重量％含まれる。これらの界面活性剤洗濯添加剤は、親油性流体に添加される前に消費可能な洗剤組成物中に存在する場合、好ましくは消費可能な洗剤組成物の約１重量％〜約９０重量％、より好ましくは２重量％〜約７５重量％、さらにより好ましくは約５重量％〜約６０重量％含まれる。
【００６７】
（アミノ官能シリコーン）
本発明の組成物への使用に好適なアミノ官能シリコーンは、上で界面活性剤成分について記載した式を有し、ただしＤ”はＲ５２ＳｉＯ２／２であり、その際Ｒ５は（ＣＨ２）ｆ−（Ｃ６Ｈ４）ｚＯ−Ｒ６であり、Ｒ６はアミノ含有アルキル基である。
【００６８】
市販の好適なアミノ官能シリコーンの非限定例は、商標名ＸＳ６９−Ｂ５４７６（ゼネラル・エレクトリック・シリコーンズ（General Electric Silicones））及びジェナミン（Jenamine）ＨＳＸ（デルコン（DelCon））で入手できる。
【００６９】
（極性溶媒）
本発明の組成物はさらに極性溶媒を含んでもよい。極性溶媒の非限定例には、水、アルコール類、グリコール類、ポリグリコール類、エーテル類、カーボネート類、二塩基性エステル類、ケトン類、他の酸素化溶媒、及びこれらの混合物が挙げられる。アルコール類のさらなる例には、プロパノール、エタノール、イソプロピルアルコールなどのようなＣ１〜Ｃ１２６アルコール類、ベンジルアルコール、及び１，２−ヘキサンジオールなどのジオール類が挙げられる。ダウ・ケミカル（Dow Chemical）によるダウアノール（Dowanol）シリーズは、本発明に有用なグリコール及びポリグリコールの例であり、例えば、ダウアノールＴＰＭ、ＴＰｎＰ、ＤＰｎＢ、ＤＰｎＰ、ＴＰｎＢ、ＰＰｈ、ＤＰＭ、ＤＰＭＡ、ＤＢ、及び他のものなどがある。他の例には、プロピレングリコール、ブチレングリコール、ポリブチレングリコール、及びさらに疎水性のグリコールなどが挙げられる。カーボネート溶媒の例には、エチレン、プロピレン、及びブチレンカーボネート、例えばジェフソル（Jeffsol）の商標名で入手可能なものなどがある。本発明のための極性溶媒は、分散性（δＤ）、極性（δＰ）、及び水素結合（δＨ）ハンセン溶解度パラメータによってさらに識別することができる。好ましい極性溶媒又は極性溶媒混合物は、部分極性（ｆＰ）及び部分水素結合（ｆＨ）が、ｆＰ＞０．０２及びｆＨ＞０．１０であり、ここでｆＰ＝δＰ／（δＤ＋δＰ＋δＨ）及びｆＨ＝δＨ／（δＤ＋δＰ＋δＨ）、より好ましくはｆＰ＞０．０５及びｆＨ＞０．２０、最も好ましくはｆＰ＞０．０７及びｆＨ＞０．３０である。
【００７０】
本発明の洗剤組成物中の、極性溶媒の濃度は、洗剤組成物の約０〜約７０重量％、好ましくは１〜５０重量％、さらに好ましくは１〜３０％重量とすることができる。
【００７１】
水は、本発明の洗浄流体布地物品処理組成物中に存在する場合、洗浄流体組成物は洗浄流体布地物品処理組成物の約０．００１重量％〜約１０重量％、より好ましくは約０．００５重量％〜約５重量％、さらにより好ましくは約０．０１重量％〜約１重量％含まれてもよい。
【００７２】
水は、本発明の洗剤組成物中に存在する場合、好ましくは消費可能な洗剤組成物の約１重量％〜約９０重量％、より好ましくは約２重量％〜約７５重量％、さらにより好ましくは約５重量％〜約４０重量％含まれる。
【００７３】
（洗浄補助剤）
本発明の組成物は、さらに任意選択的に少なくとも１つの追加洗浄補助剤を含む。前記洗浄補助剤は、幅広く異なることができ、広範にわたる濃度で使用することが可能である。例えば、プロテアーゼ類、アミラーゼ類、セルラーゼ類、リパーゼ類等のような洗浄性酵素類、並びにマンガン又は同様の遷移金属を有する大環状種を含めた漂白触媒は、すべて洗濯又は洗浄製品において有用であり、本明細書では非常に低濃度で使用することができ、又はあまり一般的ではないが高濃度でも使用することができる。触媒作用のある洗浄補助剤、例えば酵素は、「前進」又は「逆進」式で使用いることができ、これは本発明の布地処理方法とは無関係に有用な発見である。例えば、リポラーゼ又は他の加水分解酵素は、任意選択的にアルコールの存在下で洗浄補助剤として使用されて、脂肪酸をエステルに変換し、それにより親油性流体中での溶解性を増大させ得る。これは「逆進」操作であり、水に対する溶解度が小さい脂肪酸エステルを水に対する溶解度がより大きい物質に転換するための、水中におけるこの加水分解酵素の通常の使用法とは対照的である。いずれにせよ、どの洗浄補助剤も、本発明による親油性流体と組み合わせて使用するのに適していなければならない。
【００７４】
好適な洗浄補助剤には、ビルダー、界面活性剤、界面活性剤成分に関する前述のもの以外、酵素、漂白活性化剤、漂白触媒、漂白増進剤、漂白剤、アルカリ性供給源、抗菌剤、着色剤、香料、副香料、仕上げ助剤、石灰石鹸分散剤、賦香剤、臭気中和剤、高分子移染抑制剤、結晶成長阻害物質、光漂白剤、重金属イオン封止剤、変色防止剤、抗微生物剤、抗酸化剤、再付着防止剤、汚れ放出ポリマー、電解質、ｐＨ調節剤、増粘剤、研磨剤、二価イオン又は三価イオン、金属イオン塩、酵素安定化剤、腐食阻害物質、ジアミン又はポリアミン及び／又はそのアルコキシレート、泡安定化ポリマー、溶媒、加工助剤、布地柔軟化剤、蛍光増白剤、ヒドロトロープ、石鹸泡又は気泡抑制剤、石鹸泡又は気泡促進剤、及びこれらの混合物などが挙げられるが、これらに限定されない。
【００７５】
仕上げ剤として任意選択的に使用されてもよい好適な賦香剤には、シクロデキストリン、臭気中和剤、臭気遮断剤、及びこれらの混合物などを含む薬剤が挙げられる。好適な臭気中和剤としては、アルデヒド、フラボノイド、金属性塩、水溶性ポリマー、ゼオライト、活性炭及びこれらの混合物が挙げられる。
【００７６】
本発明の組成物に有用な香料及び香料的成分は、多種多様な天然の及び合成の化学成分を含み、アルデヒド、ケトン、エステルなどが挙げられるが、これらに限定されない。また、様々な天然抽出物及び天然エキスも挙げられ、これらは、オレンジ油、レモン油、バラ抽出物、ラベンダー、ムスク、パチョリ、バルサムエキス、ビャクダン油、パイン油、シーダーなどの成分の複雑な混合物から構成されている場合がある。完成した香料は、このような成分の極めて複雑な混合物を含んでもよい。副香料も本発明で有用である。そのような物質は、化学的に反応可能なそれらの前駆体又は混合物であり、例えば加水分解により香料を放出し、プロクター・アンド・ギャンブル（Procter and Gamble）、フィルメニッチ（Firmenich）、ジボダン（Givaudan）に対して発行された特許及び／又は公開特許出願に記載されている。
【００７７】
漂白剤、特に酸素漂白剤は、本発明の組成物中に使用するのに好適な別の種類の洗浄補助剤である。これは特に、ノナノイルオキシベンゼンスルホネート及び／又はその直鎖状又は分枝鎖状高級若しくは低級類似体のいずれか、及び／又はテトラアセチルエチレンジアミン及び／若しくはその誘導体のいずれか、又はフタロイルイミドペルオキシカプロン酸（ＰＡＰ）の誘導体のような漂白活性化剤、ラクタム型を包含するイミド−又はアミド−置換漂白活性化剤、又はより一般的に、親水性及び／若しくは疎水性漂白活性化剤のいずれかの混合物（特に、Ｃ６〜Ｃ１６置換オキシベンゼンスルホネート類のものを包含するアシル誘導体）による活性化及び触媒型のための場合である。
【００７８】
ＰＡＰ及びＰＡＰ以外のものを含む有機又は無機過酸も好適である。本発明で使用される好適な有機又は無機過酸としては、過カルボン酸及び塩；過炭酸及び塩；過イミド酸及び塩；ペルオキシモノ硫酸及び塩；モノペルサルフェートのようなペルサルフェート；ジペルオキシドデカンジオン酸（ＤＰＤＡ）のようなペルオキシ酸；ペルオキシフタル酸マグネシウム；過ラウリン酸；過安息香酸及びアルキル過安息香酸；並びにこれらの混合物が挙げられるが、これらに限定されない。
【００７９】
好適な有機ペルカルボン酸の一部類は次式を有する：
【化１】
2005511860.tif 000004
【００８０】
式中、Ｒは１〜約２２個の炭素原子を含有するアルキレン若しくは置換アルキレン基、又はフェニレン若しくは置換フェニレン基であり、Ｙは水素、ハロゲン、アルキル、アリール、−Ｃ（Ｏ）ＯＨ、又は−Ｃ（Ｏ）ＯＯＨである。
【００８１】
特に好ましい過酸化合物は、次式を有する：
【化２】
2005511860.tif 000005
【００８２】
式中、ＲはＣ１〜４アルキルであり、ｎは１〜５の整数である。特に好ましい過酸は、ＲがＣＨ２であり、ｎが５である式を有し、例えば米国特許第５，４８７，８１８号、第５，３１０，９３４号、第５，２４６，６２０号、第５，２７９，７５７号及び第５，１３２，４３１号に記載のフタロイルアミンペルオキシカプロン酸（ＰＡＰ）である。ＰＡＰは、オウシモントＳｐＡ（Ausimont SpA）から商標名ユーロコ（Euroco）として入手可能である。
【００８３】
過酸化水素は非常に好ましい漂白剤である。
【００８４】
本発明の組成物に使用するのに好適な他の洗浄補助剤には、不溶型、例えば、ゼオライトＡ、Ｐ、及びいわゆる最大アルミニウムＰを含むゼオライト類、並びに可溶型、例えば、ホスフェート類及びポリホスフェート類、いずれかの含水性の水溶性又は非水溶性シリケート類、２，２’−オキシジスクシネート類、タータラートスクシネート類、グリコレート類、ＮＴＡ、及びその他多くのエーテルカルボキシレート類又はシトレート類を含むビルダー；ＥＤＴＡ、Ｓ，Ｓ’−ＥＤＤＳ、ＤＴＰＡ、及びホスホネート類を含むキレート剤；水溶性ポリマー、コポリマー、及びターポリマー；汚れ放出ポリマー；蛍光増白剤；クリスピング剤（crisping agent）及び／フィラーのような加工助剤；再付着防止剤；クメンスルホン酸ナトリウム又はカルシウム、ナフタレンスルホン酸カリウム等のヒドロトロープ、保湿剤；他の香料又は副香料；染料；光漂白剤；増粘剤；単塩；水酸化物、炭酸塩、重炭酸塩、及び硫酸塩などを含むナトリウム又はカリウムを主体とするもののようなアルカリ類；並びにこれらの洗浄補助剤の１種又はそれ以上の組合せが挙げられるが、これらに限定されない。
【００８５】
特に好ましい洗浄補助剤の種類の１つは、極性の高い及び／又は水素結合する先端基を含む添加剤で、本発明の組成物による汚れ除去をさらに向上させる。極性の高い及び／又は水素結合する先端基の例は、アルコール類、カルボン酸類、サルフェート類、スルホネート類、ホスフェート類、ホスホネート類、及び窒素含有物質である。好ましい添加剤は、一級、二級、及び三級アミン、ジアミン、トリアミン、エトキシル化アミン、アミンオキシド、アミド、ベタイン、四級アンモニウム塩、及びこれらの混合物からなる群から選択される窒素含有物質である。最も好ましい物質は、次の特性：ｉ）少なくとも６０重量％のシリコーン含有量、及びｉｉ）アルキレンオキシ基、最も好ましくはエチレンオキシ基、の１つ以上を有するアミノ官能シロキサンである。
【００８６】
洗浄補助剤は、組成物の好ましくは約０．０１重量％〜約１０重量％、より好ましくは約０．０２重量％〜約７重量％、さらにより好ましくは約０．０５重量％〜約５％重量含まれる。
【００８７】
（方法）
本発明の典型的な汚れ除去方法においては、本発明の汚れ除去及び／又は低減組成物が吸収性汚れ受材と共に使用され、また分配手段を備える容器内に放出可能に収容される。（容器とその分配手段との組合せは本明細書で合わせて「ディスペンサー」と呼ばれる。）本発明のプロセスにおいて、局所的な染み領域がないかどうか、布地を検査する。続いて、汚れた領域を吸収性汚れ受材と密着させ、ディスペンサーを用いて処理する。
【００８８】
本明細書で検討されるように、本発明の組成物は布地物品上の局所的な染み領域から汚れを除去及び／又は低減させるためのプロセスに用いられることができ、前記プロセスは布地の汚れた領域を吸収性汚れ受材上に接触させて置き、本発明の組成物を、好ましくは分配口を有する容器から前記汚れに適用する工程を含む。
【００８９】
本明細書で予備染み抜き操作に使用される吸収性汚れ受材は、いかなる吸収性物質でもよく、予備染み抜き操作で使用される本発明の組成物を吸収する。使い捨ての紙タオル、バウンティ（ＢＯＵＮＴＹ）（商標）ブランドのタオルなどの布タオル、きれいな布きれなどを使用し得る。しかし、好ましい方法では、吸収性汚れ受材は、特に汚れた領域から汚れ除去組成物を「吸い取る」又は「吸い出す」ように設計される。不織布パッドからなる汚れ受材が好ましい。好ましい実施形態において、不織布全体は、約７２％の木材パルプ及び約２８％の２成分短繊維ポリエチレン−ポリプロピレン（ＰＥ／ＰＰ）を含む吸収構造である。その厚さは約６０ｍｉｌである。前記不織布は、任意選択的であるが好ましくは、汚れ除去組成物が、予備染み抜き操作が実施されている表面上にまで通過するのを防止するため、その裏面にバリアフィルムを有する。汚れ受材の構造は、上部の流体受け層から下層までの毛管勾配を確立する。前記勾配は、物質全体の密度を制御することによって、並びに低い毛管吸引が上層及び大きな毛管吸収力が下層になるように構成要素を層化することによって達成される。低い毛管吸引は、上層の合成短繊維含有量（これらの繊維は、木材パルプ繊維よりも接触角が大きく、それに対応して水への親和力が低い表面を有する）が下層より小さいことに由来する。本発明に用いてもよい追加の汚れ受材は、米国特許第５，４８９，０３９号に開示されており、この開示を本明細書に引用して援用する。
【００９０】
本明細書に用いる別の種類の汚れ受材は、機能性吸収性材料（ＦＡＭ）を含み、制御された毛管寸法を有する水吸収性フォームの形態である。ＦＡＭ型フォームの物理構造及びその結果得られる高度の毛管現象は、非常に有効な水吸収を提供し、同時にＦＡＭの化学的組成は通常高い親油性を付与する。したがって、ＦＡＭは本質的に親水性と親油性との両方を同時に付与し得る。（ＦＡＭフォームは、親水性となるように処理することが可能である。疎水性又は親水性のいずれのＦＡＭも本明細書に使用し得る。）
予備染み抜きでは、衣類又は布地見本の汚れた領域を汚れ受材部分に被せて置き、続いて本発明の汚れ除去組成物で、好ましくは機械的攪拌を提供するためのディスペンサーチューブの先端と併せて処理する。先端での繰り返し操作及び汚れ除去組成物の洗浄効果は、汚れを浮かせて汚れ受材に移動させる役割を果たす。染み抜きが進む間、汚れ受材の毛管の吸い込み作用が汚れ除去組成物及び汚れの細片を汚れ受材に送り、そこで汚れの細片の大部分が保持される。この工程の終了時に、汚れと同様にほぼすべての汚れ除去組成物が、処理された布地から除去されて汚れ受材に移動することが確認された。この結果、布地表面は湿っているだけで、布地上に望ましくない輪を生じ得る汚れ除去組成物／汚れ細片の残留物がほとんど又はまったく残らない。
【００９１】
本明細書で典型的なディスペンサーは次の寸法を有するが、これは寸法を制限するものとみなされるべきではない。ディスペンサーに使用される容器瓶の容量は、一般に２オンス〜４オンスである（液量オンス；５９ｍｌ〜１１８ｍｌ）。容器の大型瓶は高密度ポリエチレンであってもよい。小型瓶には、絞りやすいことから、低密度ポリエチレンの使用が好ましい。口の全長は約０．７４７インチ（１．８９ｃｍ）である。口は一般に円錐形であり、その直径は近位（口が容器瓶と接続する場所）で約０．５９６インチ（１．５１ｃｍ）及び遠位で０．１８２インチ（４．６ｍｍ）である。予備染み抜き流体が流れる口内の経路の直径は、約０．０６２インチ（１．５７ｍｍ）である。この実施形態において、前記経路は容器瓶から約０．４７４インチ（１．２ｃｍ）の距離を通り、その後凹部と連絡して口の遠位端で出口オリフィスを形成する際にわずかに拡大する。
【００９２】
本発明の組成物と共に使用可能な、布地物品から汚れを除去する別の方法は、最初に、汚れ除去組成物で処理すべき汚れた領域を取り囲み（又は汚れた領域が布地物品の端部にある場合はほぼ取り囲み）、その後汚れた領域を汚れ除去組成物と接触させる方法である。
【００９３】
（キット）
本発明の製品（汚れ除去及び／又は低減組成物に、任意選択的に、使用説明書を加えたもの）は、本発明によるキットに組み込まれてもよい。
【００９４】
好ましい実施形態において、本発明によるキットは、汚れ除去組成物及び物品から汚れを除去及び／又は低減させるための説明書、並びに任意選択的に吸収性染み受材を含む。
【００９５】
（処理された物品）
本発明の方法に従って処理された物品、好ましくは布地物品も、本発明の範囲内である。好ましくは、そのような処理済みの布地物品は、分析的に検出可能な量の、表面エネルギー変性効果をもつが静電気防止効果を持たない少なくとも１種の化合物（例えば、オルガノシリコーン）、又は表面エネルギー変性及び／若しくは感触変性及び／若しくは快適性変性及び／若しくは美的効果を有する少なくとも１種の化合物、並びに前記少なくとも１種の化合物以外の少なくとも１種の静電気防止剤を含む。
【国際調査報告】
2005511860.tif 000006
2005511860.tif 000007
2005511860.tif 000008